(57)【要約】【課題】  ねじ部材を用いずにエアコン室外機に取り付けることができ、且つ、取り付け作業の容易化が実現でき、しかも、夏場のエアコン室外機の温度上昇をより効果的に抑制してエアコン室外機の熱交換効率を高めることができるエアコン室外機用日除けカバーを提供する。【解決手段】  エアコン室外機用日除けカバー１０は、エアコン室外機１１を直射日光から保護するカバーであり、エアコン室外機１１の天面１２を覆うカバー本体１３と、天面１２に載置されカバー本体１３を天面１２から浮かして支持する支持部材３０と、エアコン室外機１１に巻き付けられ支持部材３０を天面１２に固定するバンド部材１５と、を有する。支持部材３０は、バンド部材１５を挿通させる挿通穴と、エアコン室外機１１に巻き付けられたバンド部材１５を挿通穴に導くスリットと、を有する。【選択図】  図２
2013249984.tif 000002
【特許請求の範囲】
【請求項１】
エアコン室外機を直射日光から保護するエアコン室外機用日除けカバーにおいて、
前記エアコン室外機の天面を覆うカバー本体と、
前記天面に載置され前記カバー本体を前記天面から浮かして支持する支持部材と、
前記エアコン室外機に巻き付けられ前記支持部材を前記天面に固定するバンド部材と、を有することを特徴とするエアコン室外機用日除けカバー。
【請求項２】
前記支持部材は、前記バンド部材を挿通させる挿通穴と、前記エアコン室外機に巻き付けられた前記バンド部材を前記挿通穴に導くスリットと、を有することを特徴とする請求項１に記載のエアコン室外機用日除けカバー。
【請求項３】
前記スリットは、迷路状に形成されることを特徴とする請求項２に記載のエアコン室外機用日除けカバー。
【請求項４】
前記支持部材は、上方に向けて先細る筒状の周壁と、前記周壁の上端を塞ぐ上壁と、前記周壁の底部に設けられ、前記バンド部材の走る方向に沿って対向する１対の前記挿通穴と、前記上壁に設けられ、前記１対の前記挿通穴の間に挿通される前記バンド部材の一部を前記上壁から取り出すための１対の取り出し穴と、を有し、
前記カバー本体は、前記１対の取り出し穴から取り出された前記バンド部材の一部によって前記上壁に固定されることを特徴とする請求項２または３に記載のエアコン室外機用日除けカバー。
【発明の詳細な説明】
【技術分野】
【０００１】
本発明は、エアコン室外機用日除けカバーに関し、より詳細には、カバーの取り付け作業の容易化およびエアコン室外機の熱交換効率の向上を図るための技術に関する。
【背景技術】
【０００２】
従来、エアコン室外機を直射日光から保護して、エアコン室外機の熱交換効率を高めるための各種カバーが提案されている（例えば、特許文献１参照）。
【０００３】
特許文献１には、エアコン室外機の天面、側部、コーナー部に支持具をねじで固定し、日除け屋根に屋根固定具を設け、この屋根固定具を支持具に角度調整可能に支持させることにより、エアコン室外機に日除け屋根を取り付ける技術が記載されている。
【０００４】
また、特許文献２には、建物の壁面に左右１対の縦フレームをボルトで固定し、これら左右の縦フレームに、ブラケットを介して屋根部材を取り付けてなるエアコン室外機用壁面取り付け型屋根が記載されている。
【０００５】
上記特許文献１および特許文献２に記載される技術では、日除けカバーを取り付けるための支持具やフレーム等を、ねじ部材を用いて固定する。このように、ねじ部材を用いた取り付け構造では、例えば、不要になった日除けカバーを取り外したり、日除けカバーを付け直したりすると、エアコン室外機あるいは建物の壁に、ねじ部材を抜いた跡（穴）が残り、エアコン室外機あるいは建物の壁の外観が損なわれる。
【０００６】
この点、特許文献３に記載されるエアコン室外機用カバーでは、左右の分割半体を棒状連結体で連結してカバーを構成し、棒状連結体とエアコン室外機とを取り付け用バンドで結束することにより、エアコン室外機にカバーを取り付けるため、ねじ部材が不要である。
【０００７】
より具体的には、まず、一方の分割半体に棒状連結体を挿通した後、この分割半体から突出している棒状連結体の一端を他方の分割半体に挿通し、さらに、左右の分割半体を相対的にスライドさせて、カバーを組み立てる。次に、この組み立てたカバーの長さを調整し、エアコン室外機の天板に載置する。そして、取り付け用バンドをカバーに差し入れた後、取り付け用バンドをエアコン室外機に巻き付けることにより、エアコン室外機にカバーを取り付ける。
【０００８】
この特許文献３の取り付け構造によれば、ねじ部材を用いることなく、エアコン室外機にカバーを取り付けることができ、カバーを取り外しても、エアコン室外機あるいは建物の壁に取り付けた跡が残ることもない。
【０００９】
ところで、近年、消費エネルギーの低減が求められる中、エアコン室外機用日除けカバーが広く普及しつつあり、日除けカバーの取り付け作業の容易化が要望されている。また、一般の消費者が既設のエアコン室外機に日除けカバーを自分で取り付ける場合がある。このような場合、誰でも簡単に取り付けることができる日除けカバーが求められる。
【００１０】
さらに、エアコンの省エネルギー対策として、夏場のエアコン室外機の温度上昇をより効果的に抑え、エアコン室外機の熱交換効率を一層高めることができる日除けカバーも求められている。
【先行技術文献】
【特許文献】
【００１１】
【特許文献１】特開平１１−１５９８０９号公報
【特許文献２】特許第４６６８７４８号公報
【特許文献３】特許第４０９１３３２号公報
【発明の概要】
【発明が解決しようとする課題】
【００１２】
しかしながら、特許文献３の取り付け作業においては、上述の通り、棒状連結体の挿入、分割半体の組み立て、取り付け用バンドの差し込み、取り付け用バンドの巻き付けなど、多くの工程が必要である。しかも、各工程の作業は、正確性が要求されるものであり、大変面倒である。
【００１３】
また、特許文献３のエアコン室外機用カバーは、エアコン室外機に直射日光を単に当てないようにした構造であり、エアコン室外機の温度上昇対策が十分に講じられているとは言い難い。
【００１４】
そこで、本発明は、このような事情に鑑みてなされたものであり、その目的は、ねじ部材を用いずにエアコン室外機に取り付けることができ、且つ、取り付け作業の容易化が実現でき、しかも、夏場のエアコン室外機の温度上昇をより効果的に抑制してエアコン室外機の熱交換効率を高めることができるエアコン室外機用日除けカバーを提供することにある。
【課題を解決するための手段】
【００１５】
このような目的を達成するため、本発明は、以下の構成によって把握される。
本発明は、エアコン室外機を直射日光から保護するエアコン室外機用日除けカバーにおいて、前記エアコン室外機の天面を覆うカバー本体と、前記天面に載置され前記カバー本体を前記天面から浮かして支持する支持部材と、前記エアコン室外機に巻き付けられ前記支持部材を前記天面に固定するバンド部材と、を有することを特徴とする。
【００１６】
この構成よれば、カバー本体を支持する支持部材をバンド部材で固定したので、ねじ部材を用いることなく、エアコン室外機にカバー本体を取り付けることができる。
【００１７】
また、バンド部材で支持部材を固定し、この支持部材にカバー本体を固定するだけの簡単な作業で、エアコン室外機に日除けカバーを取り付けることができる。したがって、従来に比べて、取り付け作業性が格段によくなる。
【００１８】
また、支持部材により、エアコン室外機の天面から浮かしてカバー本体を支持したので、エアコン室外機の天面とカバー本体の間で且つ支持部材の周囲には、断熱空間が形成される。これに対して、従来は、エアコン室外機の天面とカバーとが接する構造、あるいは、近接する構造を採用しているため、加熱されたカバーの熱がエアコン室外機に伝わり易く、かつエアコン室外機からの熱が放熱し難くなり、エアコン室外機の温度上昇を招くこととなる。この点、本発明によれば、断熱空間の作用により、カバー本体の熱がエアコン室外機の天面に伝わりにくいため、エアコン室外機の温度上昇を抑制することができる。
【００１９】
さらに、支持部材は、カバー本体を支持可能であれば簡素な構成でよいので、支持部材の部品コストを低く抑えることができる。また、支持部材の個数や配置を適宜設定することにより、様々な大きさのエアコン室外機あるいは様々な大きさのカバー本体に柔軟に対応することができる。
【００２０】
上記発明では、前記支持部材は、前記バンド部材を挿通させる挿通穴と、前記エアコン室外機に巻き付けられた前記バンド部材を前記挿通穴に導くスリットと、を有することを特徴とする。
【００２１】
この構成によれば、エアコン室外機に予め巻き付けられたバンド部材に、支持部材を挿通することができる。すなわち、スリットによってバンド部材を挿通穴に導くことで、エアコン室外機に仮止めされたバンド部材を支持部材に挿通することができる。したがって、バンド部材の巻き付け、支持部材の固定を容易に行うことができる。
【００２２】
上記発明では、前記スリットは、迷路状に形成されることを特徴とする。
【００２３】
この構成によれば、迷路状のスリットにより、バンド部材が挿通穴から抜けることを防止でき、支持部材をバンド部材にしっかりと保持することができる。
【００２４】
上記発明では、前記支持部材は、上方に向けて先細る筒状の周壁と、前記周壁の上端を塞ぐ上壁と、前記周壁の底部に設けられ、前記バンド部材の走る方向に沿って対向する１対の前記挿通穴と、前記上壁に設けられ、前記１対の前記挿通穴の間に挿通される前記バンド部材の一部を前記上壁から取り出すための１対の取り出し穴と、を有し、前記カバー本体は、前記１対の取り出し穴から取り出された前記バンド部材の一部によって前記上壁に固定されることを特徴とする。
【００２５】
この構成によれば、支持部材の周壁を先細る筒状（いわゆるコーン形状）に形成したので、カバー本体を安定的に支持することができる。また、バンド部材によって、支持部材の上壁にカバー本体を固定できるので、カバー本体と支持部材を固定するための専用の固定部材が不要になる。したがって、部品点数および作業工数を削減することができる。
【発明の効果】
【００２６】
本発明のエアコン室外機用日除けカバーによれば、ねじ部材を用いずにエアコン室外機に取り付けることができ、且つ、取り付け作業の容易化が実現でき、しかも、夏場のエアコン室外機の温度上昇をより効果的に抑制してエアコン室外機の熱交換効率を高めることができる。
【図面の簡単な説明】
【００２７】
【図１】実施形態のエアコン室外機用日除けカバーの斜視図である。
【図２】図１に示されるエアコン室外機用日除けカバーの分解図である。
【図３】図１に示される支持部材の斜視図である。
【図４】支持部材を底面側から見た斜視図である。
【図５】図３のＡ矢視図であり、支持部材の平面図である。
【図６】エアコン室外機に支持部材を載置する方法を説明する図である。
【図７】支持部材の挿通穴にバンド部材を挿通する方法を説明する図である。
【図８】バンド部材が挿通された支持部材の平面図である。
【図９】図８のＢ−Ｂ線断面図である。
【図１０】カバー本体を支持部材に固定する方法を説明する図である。
【図１１】エアコン室外機用日除けカバーの作用図である。
【図１２】カバー本体を支持部材に固定する手段の他の例を示す図である。
【図１３】支持部材の変形例を示す図である。
【発明を実施するための形態】
【００２８】
以下、添付図面を参照して、本発明を実施するための形態（以下、「実施形態」という）について詳細に説明する。なお、実施形態の説明の全体を通して同じ要素には同じ番号を付している。また、実施形態において、「上」、「下」、「左」、「右」は、各々、エアコン室外機に正対したときの方向を示す。「前」、「後」は、各々、エアコン室外機に正対したときの「手前側」、「奥側」を示す。
【００２９】
図１に示すように、実施形態のエアコン室外機用日除けカバー（以下、単に「日除けカバー」という）１０は、エアコン室外機１１を直射日光から保護するものであり、エアコン室外機１１の天面１２を覆うカバー本体１３と、天面１２に載置されカバー本体１３を天面１２から浮かして支持する支持部材３０と、エアコン室外機１１に巻き付けられ支持部材３０を天面１２に固定するバンド部材１５と、支持部材３０にカバー本体１３を固定するための固定部材１６とを有する。
【００３０】
エアコン室外機１１は、例えば、建物の壁の近傍に設置されるものであり、この例では、地面に設置された据え付け台１７の上に据え付けられる。エアコン室外機１１は、箱状の筐体１８を有し、筐体１８は、例えば直方体状に形成される。筐体１８の内部には、圧縮機、熱交換器、送風機等が内蔵される。
【００３１】
図２に示すように、カバー本体１３は、エアコン室外機１１を直射日光から保護可能な板状の部材であり、エアコン室外機１１の天面（筐体１８の天面）１２の上方に配置される。カバー本体１３の平面形状は、エアコン室外機１１の形態に応じて適宜設定される。この例では、カバー本体１３は、天面１２の形状に合わせ、長方形状に形成される。また、カバー本体１３の大きさは、任意に設定可能であるが、天面１２よりも大きく設定し、エアコン室外機１１の前面２１、側面２２にも直射日光が当たらないようにすることが好ましい。また、カバー本体１３は、軽くて丈夫な合成樹脂成形品（例えば、ブロー成形品、射出成形品、押出成形品、真空または圧空成形品など）が好適であり、特に中空リブ構造を有する所謂プラスチック段ボールまたは発泡樹脂シートを用いることが好ましいが、金属や紙を含む各種の材料で構成することもできる。
【００３２】
支持部材３０の個数や配置は、エアコン室外機１１の仕様、あるいは、日除けカバー１０に求められる仕様に応じて、任意に設定可能である。この例では、天面１２の左側に２個の支持部材３０を前後に並べ、天面１２の右側に２個の支持部材３０を前後に並べ、天面１２の中央に１個の支持部材３０を配置した。なお、支持部材３０のさらに詳しい構成は、後述する。
【００３３】
バンド部材１５は、天面１２を通って、エアコン室外機１１に巻き付けられる。この例では、エアコン室外機１１の前面２１、天面１２、背面２３、下面２５に沿って、合計３本のバンド部材１５を巻き付けるようにした。３本のバンド部材１５のうち、１本のバンド部材１５で左側の２個の支持部材３０を天面１２に固定し、１本のバンド部材１５で中央の１個の支持部材３０を天面１２に固定し、残りの１本のバンド部材１５で右側の２個の支持部材３０を天面１２に固定するようにした。このように１本のバンド部材１５で複数個の支持部材３０を固定することで、部品点数を削減することができる。なお、バンド部材１５の位置、巻き付ける向き、本数は、この例に格別に限定されるものではなく、任意に設定可能である。
【００３４】
バンド部材１５には、段ボール箱の梱包などに広く利用されるＰＰ（ポリプロピレン）バンドなどの合成樹脂製の部材の他、ゴム製の部材、布製の部材などを用いることができる。エアコン室外機１１に巻き付けられたバンド部材１５は、いわゆるバックルやストッパと称される固定具２６で固定され、その巻き付き力が保持される。
【００３５】
固定部材１６には、例えば両面テープを用いることができる。また、固定部材１６は、カバー本体１３と支持部材３０を固定可能なねじ部材（例えば、タッピングビス）、あるいは、ねじ部材と両面テープの組み合わせなどでもよい。
【００３６】
次に、支持部材３０の構成を図３〜図５に基づいて詳細に説明する。
図３に示すように、支持部材３０は、上方に向けて先細る筒状の周壁３１と、周壁３１の底部に設けられる台座３２と、周壁３１の上端を塞ぐ上壁３３とを有する。また、支持部材３０は、バンド部材１５（図１参照）を挿通させる挿通穴３５と、挿通穴３５に連なるスリット３６と、上壁３３に設けられる取り出し穴３７とを有する。支持部材３０は、軽量性、支持強度、形状の自由度を考慮すると、合成樹脂からなる成形品が好適であるが、金属、紙を含む各種の材料で構成することができる。
【００３７】
周壁３１は、この例では、上方に向けて先細る円錐台状に形成されており、上壁３３側の直径が小さく、台座３２側の直径が大きく形成され、安定した支持構造を有している。
【００３８】
上壁３３の平面形状は、周壁３１の上端を塞ぐ形状であれば任意であるが、この例では、円板状に形成される。
【００３９】
台座３２は、周壁３１の底部外周に鍔状に設けられ、ここでは、円環状で且つ板状に形成される。このような台座３２の下面は、平坦に形成されることが望ましい。台座３２の下面を平坦に形成することで、エアコン室外機の天面１２（図１参照）に台座３２を安定的に載置することができる。
【００４０】
図４に示すように、挿通穴３５は、台座３２の内径部近傍に１対設けられ、それぞれ、台座３２の内径部に沿って円弧状に形成される。１対の挿通穴３５は、バンド部材１５（図１参照）の走る方向に沿って対向して設けられる。各挿通穴３５は、台座３２を上下方向に貫通すると共に、周壁３１の内周面に開口する開口部３８を有する。挿通穴３５に挿通されたバンド部材１５（図１参照）が開口部３８に嵌まることで、エアコン室外機の天面１２（図１参照）に対して台座３２の底面を浮かすことなく安定的に載置することができる。
【００４１】
図５に示すように、スリット３６は、エアコン室外機１１に巻き付けられたバンド部材１５（図１参照）を挿通穴３５に導くものであり、迷路状に形成される。この例では、平面視でスリット３６をクランク状に形成した。スリット３６の形態は、クランク状の他、１本または複数本の直線、曲線、あるいは、これらを組み合わせた形態でもよい。なお、バンド部材１５（図１参照）を予め挿通穴３５に挿通しておく場合、スリット３６は、支持部材３０に設けなくてもよい。
【００４２】
また、台座３２の上面には、バンド部材１５（図１参照）を挿通穴３５に円滑に導くために、スリット３６に沿ってリブ４１を形成してもよい。このリブ４１は、台座３２のスリット３６周辺部を補強する作用もなす。
【００４３】
取り出し穴３７は、上壁３３に１対設けられる。１対の取り出し穴３７は、平面視でバンド部材１５（図１参照）の走る方向に沿って対向して設けられる。１対の取り出し穴３７は、１対の挿通穴３５の間に挿通されるバンド部材１５（図１参照）の一部を上壁３３から取り出すためのものである。取り出し穴３７の平面形状は、長円状を含む各種の形状から選択可能である。
【００４４】
次に、日除けカバー１０の取り付け方法を図６〜図１０に基づいて説明する。
図６に示すように、まず、エアコン室外機１１にバンド部材１５を緩く巻き付けて仮止めする。次に、仮止めしたバンド部材１５の上に支持部材３０を配置する（矢印(１)）。
【００４５】
そして、図７（ａ）に示すように、支持部材３０の一側（例えば、前側）のスリット３６にバンド部材１５の側端を差し入れ（矢印(２)）、バンド部材１５をスリット３６で案内しながら挿通穴３５に導く（矢印(３)）。また、図７（ｂ）に示すように、支持部材３０の他側（例えば、後側）のスリット３６にもバンド部材１５の側端を差し入れ（矢印(４)）、バンド部材１５をスリット３６で案内しながら挿通穴３５に導く（矢印(５)）。
【００４６】
すると、図８および図９に示すように、支持部材３０の底部を貫通するように１対の挿通穴３５にバンド部材１５が挿通される。１本のバンド部材１５を複数の支持部材３０に挿通する場合は、同じ要領で、バンド部材１５を他の支持部材３０にも挿通する。バンド部材１５を支持部材３０に挿通する作業を終えたら、仮止めしていたバンド部材１５をしっかりと締めて固定具２６（図１参照）で固定する。
【００４７】
結果、図１０に示すように、バンド部材１５の張力によって、各支持部材３０がエアコン室外機１１の天面１２に固定される。次に、各支持部材３０の上壁３３に固定部材１６（例えば、両面テープ）を貼り付け（矢印(６)）、この固定部材１６の上にカバー本体１３を載せて上から押える。これにより、カバー本体１３は、天面１２から浮いた状態で支持部材３０の上壁３３に固定され、日除けカバー１０の取り付けが完了する。
【００４８】
以上、説明した日除けカバー１０の作用・効果を図１１に基づいて説明する。なお、図１１では、建物の壁面４２の近傍に設置されたエアコン室外機１１に、日除けカバー１０を取り付けた例を示している。
【００４９】
図１１に示すように、本実施形態によれば、カバー本体１３を支持する支持部材３０をバンド部材１５で固定したので、ねじ部材を用いることなく、エアコン室外機１１にカバー本体１３を取り付けることができる。
【００５０】
また、バンド部材１５で支持部材３０を固定し、この支持部材３０にカバー本体１３を固定するだけの簡単な作業で、エアコン室外機１１に日除けカバー１０を取り付けることができる。したがって、従来に比べて、取り付け作業性が格段によくなる。
【００５１】
また、支持部材３０により、カバー本体１３を天面１２から浮かして支持したので、天面１２とカバー本体１３の間で且つ支持部材３０の周囲には、断熱空間４３が形成される。これに対して、従来は、エアコン室外機の天面とカバーとが接する構造、あるいは、近接する構造を採用しているため、加熱されたカバーの熱がエアコン室外機に伝わり易い。この点、本実施形態によれば、矢印(８)で示す直射日光によってカバー本体１３が加熱されても、断熱空間４３の作用により、カバー本体１３の熱が天面１２に伝わりにくいため、エアコン室外機１１の温度上昇をより効果的に抑制することができる。
【００５２】
また、支持部材３０は、カバー本体１３を支持可能であれば簡素な構成でよいので、支持部材３０の部品コストを低く抑えることができる。また、支持部材３０の個数や配置を適宜設定することにより、様々な大きさのエアコン室外機１１、様々な大きさのカバー本体１３に柔軟に対応することができる。
【００５３】
また、バンド部材１５をスリット３６（図８参照）によって挿通穴３５（図８参照）に導くことで、エアコン室外機１１に仮止めされたバンド部材１５を支持部材３０に挿通することができる。
【００５４】
これに対して、従来の技術（例えば、特許文献３に開示される技術）では、取り付け用バンドをカバーに差し入れた後、取り付け用バンドをエアコン室外機に巻き付けるようにしていた。このため、取り付け用バンドにカバーが付いた状態で、取り付け用バンドをエアコン室外機に巻き付ける必要があり、作業性が悪い。
【００５５】
この点、本実施形態では、エアコン室外機１１にバンド部材１５を先に仮止めしておき、この仮止めしたバンド部材１５を支持部材３０に後から挿通することができるので、バンド部材１５の巻き付け、支持部材３０の固定を容易に行うことができる。
【００５６】
さらに、本実施形態では、スリット３６（図８参照）を迷路状に形成したので、挿通穴３５（図８参照）からバンド部材１５が抜けることを防止でき、支持部材３０をバンド部材１５にしっかりと保持させることができる。
【００５７】
加えて、支持部材３０の周壁３１を上方に向けて先細る筒状に形成したので、カバー本体１３を安定的に支持することができる。
【００５８】
したがって、本実施形態の日除けカバー１０によれば、ねじ部材を用いずに、エアコン室外機１１に取り付けることができ、且つ、取り付け作業の容易化が実現でき、しかも、夏場のエアコン室外機１１の温度上昇をより効果的に抑制してエアコン室外機１１の熱交換効率を高めることができる。
【００５９】
続いて、カバー本体１３を支持部材３０に固定する手段の他の例を図１２に基づいて説明する。カバー本体１３は、固定部材１６（図１１参照）を用いて支持部材３０に固定する他、バンド部材１５を用いて支持部材３０に固定することもできる。
【００６０】
例えば、図１２に示すように、１対の取り出し穴４５から取り出されたバンド部材１５の一部１５ａによって支持部材３０の上壁３３にカバー本体１３を固定することができる。ここでは、１対の取り出し穴３７に上から合わさる１対の挿通部４５をカバー本体１３に形成する。各挿通部４５は、切り欠きまたは穴で構成することができる。一方の挿通部４５および取り出し穴３７により、支持部材３０の中からバンド部材１５を取り出し、他方の挿通部４５および取り出し穴３７により、バンド部材１５を支持部材３０の中に戻すようにして、カバー本体１３および支持部材３０にバンド部材１５の一部１５ａを予め挿通しておく。
【００６１】
この構成によれば、バンド部材１５の張力により、支持部材３０が天面１２に固定されると同時に、バンド部材１５の一部１５ａによってカバー本体１３が支持部材３０に固定される。したがって、カバー本体１３と支持部材３０を固定するための専用の固定部材が不要になるため、部品点数および作業工数を削減することができる。
【００６２】
次に、支持部材の変形例を図１３に基づいて説明する。
前述した支持部材３０（図３参照）では、円錐台状の周壁３１（図３参照）を有する構成を採用したが、支持部材の構成は、格別に限定されるものではなく、任意に変更可能である。
【００６３】
例えば、図１３に示すように、コの字状に形成した支持部材３０Ｂを用いてもよい。すなわち、支持部材３０Ｂは、平板状の底壁４６と、底壁４６の一端から立ち上がる平板状の縦壁４７と、縦壁４７の上端に設けられる平板状の上壁４８とを有する。底壁４６は、エアコン室外機の天面１２（図２参照）に載置され、上壁４８は、カバー本体１３（図２参照）を支持する。底壁４６の他端には、扁平状の挿通穴３５Ｂが形成され、挿通穴３５Ｂの上側および下側には、スリット３６Ｂが形成される。
【００６４】
この支持部材３０Ｂにおいても、スリット３６Ｂによってバンド部材１５を挿通穴３５Ｂに導くことで、エアコン室外機１１（図２参照）に仮止めされたバンド部材１５を支持部材３０Ｂに挿通することができる。これにより、支持部材３０（図３参照）と同様に、バンド部材１５の巻き付け、支持部材３０Ｂの固定を容易に行うことができる。加えて、支持部材３０Ｂがより簡素な構成になるため、支持部材３０Ｂの部品コストをさらに低く抑えることができる。
【００６５】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。たとえば、支持部材の形状として円錐台状のものを説明したが、多角錐状または立方体、直方体形状としても良い。
【符号の説明】
【００６６】
１０    エアコン室外機用日除けカバー
１１    エアコン室外機
１２    天面
１３    カバー本体
１５    バンド部材
１５ａ  バンド部材の一部
３０    支持部材
３０Ｂ  支持部材
３１    周壁
３２    台座
３３    上壁
３５    挿通穴
３５Ｂ  挿通穴
３６    スリット
３６Ｂ  スリット
３７    取り出し穴
【図１】
2013249984.tif 000003
【図２】
2013249984.tif 000004
【図３】
2013249984.tif 000005
【図４】
2013249984.tif 000006
【図５】
2013249984.tif 000007
【図６】
2013249984.tif 000008
【図７】
2013249984.tif 000009
【図８】
2013249984.tif 000010
【図９】
2013249984.tif 000011
【図１０】
2013249984.tif 000012
【図１１】
2013249984.tif 000013
【図１２】
2013249984.tif 000014
【図１３】
2013249984.tif 000015